【手続補正書】
【提出日】平成19年9月5日(2007.9.5)
【手続補正１】
【補正対象書類名】特許請求の範囲
【補正対象項目名】全文
【補正方法】変更
【補正の内容】
【特許請求の範囲】
【請求項１】
患者の血管系内に放出し、配置することができる耐伸縮性治療器具であって、
近位端及び遠位端を備えた血流閉塞コイルを有し、該血流閉塞コイルは、前記近位端と前記遠位端との間にルーメンを構成し、
前記血流閉塞コイルの前記ルーメンを貫通した耐伸縮性部材を有し、該耐伸縮性部材は、第１の端及び第２の端を有し、前記耐伸縮性部材は、患者の血管系内への血流閉塞コイルの配置を可能にするよう前記第１の端が前記血流閉塞コイルにしっかりと取り付けられ、前記第２の端が細長いプッシャ部材に取外し可能に取り付けることができる、
耐伸縮性治療器具。
【請求項２】
耐伸縮性治療器具を患者の血管系内に放出して配備する装置であって、
近位端及び遠位端を備えた血流閉塞コイルを有し、該血流閉塞コイルは、前記近位端と前記遠位端との間にルーメンを備え、
前記血流閉塞コイルの前記近位端に隣接した遠位端を備える細長いプッシャ部材を有し、
前記血流閉塞コイルの前記ルーメンを貫通した耐伸縮性部材を有し、該耐伸縮性部材は、第１の端及び第２の端を有し、前記耐伸縮性部材は、患者の血管系内への血流閉塞コイルの配置を可能にするよう前記第１の端が前記血流閉塞コイルにしっかりと取り付けられると共に前記第２の端が前記細長いプッシャ部材に取外し可能に取り付けることができる、装置。
【請求項３】
前記耐伸縮性部材は、リボンで作られている、請求項１又は請求項２記載の装置。
【請求項４】
前記耐伸縮性部材は、ワイヤで作られている、請求項１又は請求項２記載の装置。
【請求項５】
前記耐伸縮性部材は、編組で作られている、請求項１又は請求項２記載の装置。
【請求項６】
前記耐伸縮性部材は、１次巻線で作られている、請求項１又は請求項２記載の装置。
【請求項７】
前記耐伸縮性部材は、撚り材料で作られている、請求項１又は請求項２記載の装置。
【請求項８】
前記耐伸縮性部材は、マルチフィラメント材料で作られている、請求項１又は請求項２記載の装置。
【請求項９】
前記耐伸縮性部材は、撚りマルチフィラメント材料で作られている、請求項１又は請求項２記載の装置。
【請求項１０】
前記耐伸縮性部材は、絹、コラーゲン、エラスチン、ポリグリコール酸、ポリ乳酸、ポリ（Ｄ，Ｌ−乳酸−コ−グリコール酸）、ポリ（Ｌ−ラクチド）、ポリ（Ｌ−ラクチド−コ−Ｄ，Ｌ−ラクチド）、ポリ（Ｌ−ラクチド−コ−グリコリド）、ポリ（グリコリド−コ−トリメチレンカーボネート）、ポリ酸化エチレン、ポリジオキサノン、ポリカプロラクトン、ヒアルロン酸、ポリヒドロキシルブチレート、ポリ（ホスファゼン）、ポリ（Ｄ，Ｌ−ラクチド−コ−カプロラクトン）、ポリ（グリコリド−コ−カプロラクトン）、ポリビニルアルコール、これらのポリ無水物、これらのポリ（オルトエステル）、これらのポリ（ホスフェートエステル）、これらのポリ（アミノ酸）、これらのポリ（ヒドロキシブチレート）、これらのコポリマー、これらの複合体及びこれらの組合せから成る群から選択された治療用非金属繊維材料で作られている、請求項１又は請求項２記載の装置。
【請求項１１】
前記治療用非金属繊維材料は、生体活性材料である、請求項１０記載の装置。
【請求項１２】
前記治療用非金属繊維材料は、生体吸収性材料である、請求項１０記載の装置。
【請求項１３】
前記治療用非金属繊維材料は、非吸収性である、請求項１０記載の装置。
【請求項１４】
治療薬が、前記治療用非金属繊維材料によって吸収されている、請求項１０記載の装置。
【請求項１５】
前記耐伸縮性部材は、エチレン−オクテンコポリマー、ポリプロピレン、ポリエチレン、ポリアクリレート、ポリアクリルアミド、ポリ（ヒドロキシエチルメタクリレート）、ポリウレタン、ポリシロキサン及びこれらのコポリマーから成る群から選択されたポリマーから作られた繊維である、請求項１又は請求項２記載の装置。
【請求項１６】
前記耐伸縮性部材は、金属で作られている、請求項１又は請求項２記載の装置。
【請求項１７】
前記耐伸縮性部材は、白金及びニッケルチタン合金から成る群から選択された材料で作られている、請求項１又は請求項２記載の装置。
【請求項１８】
前記耐伸縮性部材は、放射線不透過性である、請求項１又は請求項２記載の装置。
【請求項１９】
前記血流閉塞コイルは、前記繊維の端部を加熱することにより前記耐伸縮性部材の前記第１の端に取り付けられている、請求項１５記載の装置。
【請求項２０】
前記耐伸縮性治療器具は、プッシャ部材に取外し可能に取り付けられている、請求項１又は請求項２記載の装置。
【請求項２１】
前記耐伸縮性治療器具は、注入により配備可能に放出できる、請求項１又は請求項２記載の装置。
【請求項２２】
前記耐伸縮性治療器具は、配備可能に機械的に放出できる、請求項１又は請求項２記載の装置。
【請求項２３】
前記耐伸縮性治療器具は、切り離し可能な部材によりプッシャ部材に取外し可能に取り付けられている、請求項１又は請求項２記載の装置。
【請求項２４】
前記切り離し可能部材は、前記切り離し可能部材の加熱により切り離し可能である、請求項２３記載の装置。
【請求項２５】
前記血流閉塞コイルは、前記血流閉塞コイルの前記近位端のところに変位コイルセグメントを有し、前記耐伸縮性部材は、前記変位コイルセグメント周りに設けられている、請求項１又は請求項２記載の装置。
【請求項２６】
前記血流閉塞コイルの前記変位コイルセグメントは、切り離し可能な部材によりプッシャ部材に取外し可能に取り付けられている、請求項２５記載の装置。
【請求項２７】
前記耐伸縮性部材は、第１の端及び第２の端を有し、前記血流閉塞コイルは、前記繊維の端部の加熱により前記耐伸縮性部材の前記第１の端に取り付けられている、請求項１０又は請求項１５記載の装置。
【請求項２８】
前記耐伸縮性部材は、前記プッシャ部材に取り付けられた繊維材料の少なくとも１つのループによって前記プッシャ部材の前記遠位端に取外し可能に取り付けられている、請求項２記載の装置。
【請求項２９】
前記血流閉塞コイルは、前記血流閉塞コイルの前記近位端のところの前記血流閉塞コイルの変位セグメントによって前記プッシャ部材の前記遠位端に取外し可能に取り付けられている、請求項２記載の装置。
【請求項３０】
前記血流閉塞コイルは、受け具として前記コイルの前記近位端に取り付けられたループによって前記プッシャ部材の前記遠位端に取外し可能に取り付けられている、請求項２記載の装置。
【請求項３１】
前記血流閉塞コイルは、前記コイルの前記近位端に連結された繊維のループ及び前記耐伸縮性部材に連結された繊維のループによって前記プッシャ部材の前記遠位端に取外し可能に取り付けられている、請求項２記載の装置。
【請求項３２】
前記耐伸縮性部材の前記第２の端は、前記細長いプッシャ部材に結合されている、請求項２７記載の装置。
【請求項３３】
前記血流閉塞コイルの前記近位端は、遠位治療用部分及び近位ステム部分を有し、前記装置は、前記耐伸縮性部材を前記細長いプッシャ部材の前記遠位端部から取り外す手段を有し、前記近位ステム部分は、少なくとも１つの丸形部材を有し、前記装置は、
前記細長いプッシャ部材の前記遠位端に取り付けられていて、前記少なくとも１つの丸形部材を取外し可能に保持する拘束材料の本体と、
前記血流閉塞コイルを前記拘束材料の本体から外す手段とを有する、
請求項２記載の装置。
【請求項３４】
前記拘束材料の本体は、前記血流閉塞コイルの前記近位ステム部分の前記少なくとも１つの丸形部材に係合する応力を受けた形態と、前記血流閉塞コイルの前記近位ステム部分の前記少なくとも１つの丸形部材から引っ込められた回復した形態とを有し、前記拘束材料の本体は、前記応力を受けた形態では、軸方向に応力を受けて前記血流閉塞コイルの前記近位ステム部分に係合するようになっており、前記血流閉塞コイルを外す前記手段は、前記細長いプッシャ部材の前記遠位端のところに位置する端部分を有し、前記端部分は、前記拘束材料の本体が前記応力を受けた形態から前記回復した形態に変化すると、前記血流閉塞コイルを前記近位部分に接触して前記血流閉塞コイルを前記拘束材料の本体から外す、請求項３３記載の装置。
【請求項３５】
前記拘束材料の本体は、前記血流閉塞コイルの前記近位ステム部分の前記少なくとも１つの丸形部材に係合する応力を受けた形態と、前記血流閉塞コイルの前記近位ステム部分の前記少なくとも１つの丸形部材から引っ込められた回復した形態とを有し、前記拘束材料の本体は、前記応力を受けた形態では、軸方向且つ半径方向に応力を受けて前記血流閉塞コイルの前記近位ステム部分に係合するようになっており、前記血流閉塞コイルを外す前記手段は、前記細長いプッシャ部材の前記遠位端のところに位置する端部分を有し、前記端部分は、前記拘束材料の本体が前記応力を受けた形態から前記回復した形態に変化すると、前記血流閉塞コイルを前記近位部分に接触して前記血流閉塞コイルを前記拘束材料の本体から外す、請求項３３記載の装置。
【請求項３６】
前記拘束材料の本体は、その近位端からその遠位端まで延びる管状カラーを形成する管状断面を有し、前記端部分は、前記管状カラーの形状回復時に、前記血流閉塞コイルに係合して前記血流閉塞コイルを前記管状カラーから外すよう前記管状カラーの内部に設けられている、請求項３４記載の装置。
【請求項３７】
前記拘束材料の本体は、ポリマーで構成されている、請求項３３記載の装置。
【請求項３８】
前記拘束材料の本体は、ポリウレタンで構成されている、請求項３３記載の装置。
【請求項３９】
前記拘束材料の本体は、ニッケルチタン合金で構成されている、請求項３３記載の装置。
【請求項４０】
前記耐伸縮性部材を前記細長いプッシャ部材の前記遠位端部から取り外す手段を更に有し、該手段は、
前記血管系内に血流閉塞コイルを配置できるよう前記血流閉塞コイルを前記プッシャ部材に取外し可能に取り付けるコネクタ繊維と、
前記コネクタ繊維に隣接して設けられていて、前記血管系内への前記血流閉塞コイルの所望の配置が達成されると、前記コネクタ繊維を切り離して、前記コネクタ繊維が前記血流閉塞コイルの配備のために前記血流閉塞コイルを前記プッシャ部材から放出するようにする手段とを有する、請求項２記載の装置。
【請求項４１】
前記コネクタ繊維を切り離す前記手段は、抵抗加熱ヒーターワイヤから成る、請求項４０記載の装置。
【請求項４２】
前記コネクタ繊維は、熱可塑性材料で作られている、請求項４０記載の装置。
【請求項４３】
前記コネクタ繊維は、ポリエチレンで作られている、請求項４０記載の装置。
【請求項４４】
前記耐伸縮性部材を前記細長いプッシャ部材の前記遠位端部から取り外す手段を更に有し、該手段は、
前記血管系内に血流閉塞コイルを配置できるよう前記血流閉塞コイルを前記プッシャ部材に取外し可能に取り付けるコネクタ繊維と、
前記コネクタ繊維及び前記耐伸縮性部材に隣接して設けられていて、前記血管系内への前記血流閉塞コイルの所望の配置が達成されると、前記コネクタ繊維及び前記耐伸縮性部材を切り離して、前記コネクタ繊維が前記血流閉塞コイルの配備のために前記血流閉塞コイルを前記プッシャ部材から放出するようにする手段とを有する、
請求項２記載の装置。
【請求項４５】
前記コネクタ繊維を切り離す前記手段は、抵抗加熱ヒーターワイヤから成る、請求項４４記載の装置。
【請求項４６】
前記コネクタ繊維は、熱可塑性材料で作られている、請求項４４記載の装置。
【請求項４７】
前記コネクタ繊維は、ポリエチレンで作られている、請求項４４記載の装置。